(57)【要約】【課題】  本発明は、デジタル放送受信装置において、自動チャンネル切換えが可能な装置及び方法を提供する。【解決手段】  本発明に係るデジタル放送受信装置は、放送チャンネルに対応するＰａｃｋｅｔ ＩＤｓを格納するメモリ部と、前記メモリ部から次の放送チャンネルに対応するＰａｃｋｅｔ ＩＤｓを読み出すプログラム変更部と、前記読み出したＰａｃｋｅｔ ＩＤｓに対応する転送チャンネルをデインタリーブする転送チャンネル処理部と、前記転送チャンネル処理部から出力される転送チャンネルデータをバッファリングする第１のバッファと、バッファリング済みの他の転送チャンネルのデータを出力する第２のバッファとからなるバッファ部とを有する。【選択図】  図３
2006067599.tif 000002
【特許請求の範囲】
【請求項１】
自動チャンネル切換え機能を提供するデジタル放送受信装置において、
放送チャンネルに対応するＰａｃｋｅｔ ＩＤｓを格納するメモリ部と、
前記Ｐａｃｋｅｔ ＩＤｓを前記メモリ部から読み出すプログラム変更部と、
前記読み出したＰａｃｋｅｔ ＩＤｓに対応する転送チャンネルをデインタリーブする転送チャンネル処理部と、
前記デインタリーブした転送チャンネルをバッファリングするバッファ部と、
を有することを特徴とするデジタル放送受信装置。
【請求項２】
前記読み出したＰａｃｋｅｔ ＩＤｓに対応して転送チャンネル選択信号を生成し、前記転送チャンネル選択信号を前記転送チャンネル処理部に出力する転送チャンネル選択部をさらに有すること
を特徴とする請求項１に記載のデジタル放送受信装置。
【請求項３】
前記バッファリングした転送チャンネルからのデータをマージして、出力したい放送チャンネルストリームを生成するマージ部をさらに有すること
を特徴とする請求項１に記載のデジタル放送受信装置。
【請求項４】
前記放送チャンネルストリームを各放送チャンネルに基づいて分離する転送ストリームデマルチプレクサをさらに含むこと
を特徴とする請求項２に記載のデジタル放送受信装置。
【請求項５】
デジタル放送受信装置において、
放送チャンネルに対応するＰａｃｋｅｔ ＩＤｓを格納するメモリ部と、
前記メモリ部から次の放送チャンネルに対応するＰａｃｋｅｔ ＩＤｓを読み出すプログラム変更部と、
前記読み出したＰａｃｋｅｔ ＩＤｓに対応する転送チャンネルをデインタリーブする転送チャンネル処理部と、
前記転送チャンネル処理部から出力される転送チャンネルデータをバッファリングする第１のバッファと、バッファリング済みの他の転送チャンネルのデータを出力する第２のバッファとからなるバッファ部と、
を有することを特徴とするデジタル放送受信装置。
【請求項６】
前記第１のバッファ及び第２のバッファは、交互に転送チャンネルデータの出力及びバッファリングを行うこと
を特徴とする請求項５に記載のデジタル放送受信装置。
【請求項７】
前記プログラム変更部は、前記Ｐａｃｋｅｔ ＩＤｓを一定時間の間隔で読み出すこと
を特徴とする請求項５に記載のデジタル放送受信装置。
【請求項８】
前記読み出したＰａｃｋｅｔ ＩＤｓに対応して転送チャンネル選択信号を生成し、前記転送チャンネル選択信号を前記転送チャンネル処理部に出力する転送チャンネル選択部をさらに有すること
を特徴とする請求項５に記載のデジタル放送受信装置。
【請求項９】
デジタル放送受信方法において、
次の放送チャンネルに対応するＰａｃｋｅｔ ＩＤｓを出力するステップと、
前記Ｐａｃｋｅｔ ＩＤｓに対応する転送チャンネルを選択するステップと、
前記選択された転送チャンネルをデインタリーブするステップと、
前記デインタリーブした転送チャンネルをバッファリングする間に、バッファリング済みの他の転送チャンネルのデータをディスプレイするステップと、
を含むことを特徴とするデジタル放送受信方法。
【請求項１０】
前記Ｐａｃｋｅｔ ＩＤｓは、一定時間の間隔で出力されること
を特徴とする請求項９に記載のデジタル放送受信方法。
【請求項１１】
前記一定時間の間隔は、前記バッファリング時間によって決定されること
を特徴とする請求項１０に記載のデジタル放送受信方法。
【請求項１２】
前記ディスプレイされる転送チャンネルを選択する信号が入力されると、次の放送チャンネルに対応するＰａｃｋｅｔ ＩＤｓの出力を中断するステップをさらに含むこと
を特徴とする請求項９に記載のデジタル放送受信方法。
【発明の詳細な説明】
【技術分野】
【０００１】
本発明はデジタルマルチメディア放送(Ｄｉｇｉｔａｌ  Ｍｕｌｔｉｍｅｄｉａ  Ｂｒｏａｄｃａｓｔｉｎｇ)チャンネル切換え装置及び方法に関する。
【背景技術】
【０００２】
最近は、デジタル放送技術及び移動通信技術の発達に伴い、移動中にもデジタルマルチメディア放送を視聴できるデジタル放送サービスに対する関心が高まっている。デジタルマルチメディア放送(Ｄｉｇｉｔａｌ  Ｍｕｌｔｉｍｅｄｉａ  Ｂｒｏａｄｃａｓｔｉｎｇ、以下、ＤＭＢという)は、無指向性受信アンテナ付きの個人携帯用受信機や車両用受信機などを介して、移動中にも様々なマルチメディア放送を多チャンネルで視聴できる放送サービスを言う。特に、韓国で採択した衛星ＤＭＢは、ＩＴＵ(Ｉｎｔｅｒｎａｔｉｏｎａｌ Ｔｅｌｅｃｏｍｍｕｎｉｃａｔｉｏｎ  Ｕｎｉｏｎ)の標準Ｒｅｃ.ＢＯ.１１３０-４：Ｓｙｓｔｅｍ-Ｅとして、ＣＤＭＡ移動電話と類似しているＣＤＭ(Ｃｏｄｅ Ｄｉｖｉｓｉｏｎ Ｍｕｌｔｉｐｌｅｘｉｎｇ)技術を採択している。
【０００３】
ＤＭＢシステムは、特定端末に１つの放送サービスを提供するために、５つのチャンネルを受信するように規定している。このような５つのチャンネルは図１を参照して説明する。
図１は現在のＤＭＢシステムにおいて放送サービスを提供するチャンネルの構成図である。
図１に示すように、ＤＭＢシステムでは、複数個のＣＤＭ転送チャンネルを介して放送サービスが提供される。ＣＤＭ転送チャンネルは、パイロット情報を転送するチャンネル“０”１００、ＥＰＧ(Ｅｌｅｃｔｒｏｎｉｃ  Ｐｒｏｇｒａｍ  Ｇｕｉｄｅ)を転送するチャンネル“１”１０２、ＣＡＳ(Ｃｏｎｄｉｔｉｏｎａｌ  Ａｃｃｅｓｓ  Ｓｙｓｔｅｍ)を転送するチャンネル“２”１０４、実際に放送トラフィックが転送されるＭ個の転送チャンネルである。即ち、ＡＶ放送チャンネルは、放送Ａ-１のチャンネル“３”１０６、放送Ａ-２のチャンネル“４”１０８及び放送Ａ-Ｍのチャンネル“Ｎ”１１０を介して転送される。ここで、ＡＶ放送チャンネルは、ビデオ放送の場合には２つのＣＤＭチャンネルからなり、オーディオ放送の場合には１つのＣＤＭチャンネルからなる。
【０００４】
ＤＭＢシステムにおける受信装置は、ＡＶ放送チャンネルの切換え時、切換えを行いたい放送チャンネルに対応するＰＩＤ(Ｐａｃｋｅｔ ＩＤ)値を変更し、ＰＩＤと連動するＣＤＭチャンネルを開放すべきである。受信装置では、変更された放送チャンネルのためのデインタリーバのバッファを充填した後、変更された放送チャンネルをディスプレイする。よって、放送チャンネルの切換え毎にデインタリーバのバッファが空になって充填時間がかかる。この時間は概略３〜４秒程度かかり、ＡＶストリームを格納するためのバッファの充填時間と合算され、ユーザーは長時間を待つ恐れがあるという問題がある。
【０００５】
一方、自動チャンネル切換え方法は、アナログＦＭ/ＡＭオーディオ放送を受信する端末で使用されている方法として、ユーザーの利用に便宜を図るための重要な機能の一つである。自動チャンネル切換え方法は、ユーザーに提供できる全ての放送チャンネルを、順次または所定の順序に応じて変更しながら、ユーザーにサービスする方法である。
このような自動チャンネル切換え方法がＤＭＢ受信装置に適用される場合は、前述したように、ＣＤＭチャンネル変更毎にデインタリーバのバッファが空になって充填時間がかかり、ＡＶストリームを格納するためのバッファの充填時間と合算され、ユーザーは長時間を待つ恐れがあるという問題がある。
【発明の開示】
【発明が解決しようとする課題】
【０００６】
よって、本発明の目的は、デジタル放送受信装置において、自動チャンネル切換えが可能な装置及び方法を提供することにある。
本発明の他の目的は、デジタル放送受信装置において、自動チャンネル切換え時、チャンネル切換えによる待機時間を低減できる装置及び方法を提供することにある。
【課題を解決するための手段】
【０００７】
前記目的を達成するために、本発明の実施の形態によるデジタル放送受信装置は、放送チャンネルに対応するＰａｃｋｅｔ ＩＤｓを格納するメモリ部と、前記メモリ部から次の放送チャンネルに対応するＰａｃｋｅｔ ＩＤｓを読み出すプログラム変更部と、前記読み出したＰａｃｋｅｔ ＩＤｓに対応する転送チャンネルをデインタリーブする転送チャンネル処理部と、前記転送チャンネル処理部から出力される転送チャンネルデータをバッファリングする第１のバッファと、バッファリング済みの他の転送チャンネルのデータを出力する第２のバッファとからなるバッファ部とを有する。
【発明の効果】
【０００８】
本発明のＤＭＢ受信装置２００は、自動チャンネル切換え時、既定の順序に応じて放送チャンネルに対するＣＤＭチャンネルを受信し、次の出力する放送ストリームをバッファリングすることで、ユーザーが感じるチャンネル切換えの待機時間を最小化できる。
【発明を実施するための最良の形態】
【０００９】
本発明は、自動チャンネル切換え時、次の放送チャンネルを予め分かる場合、この情報を用いてユーザーが感じるチャンネル切換えの待機時間を最小化した方法である。自動チャンネル切換えをＤＭＢに適用するために、各放送チャンネルに該当するＰＩＤ値をＵＩ（ユーザーインタフェース）から自動に順次または所定の順序に応じて変更することにより具現される。
本発明をビデオチャンネルに適用するには、ＡＶストリーム用として少なくとも４つのＣＤＭチャンネルをオープンすべきであるが、オーディオチャンネル切換え時には２つのＣＤＭチャンネルのみオープンしても適用可能である。以下、本発明の具体例による自動オーディオチャンネル切換えの駆動原理を説明する。
【００１０】
以下、添付図面に基づき、本発明の好適な実施の形態を詳細に説明する。本発明において、関連した公知の機能や構成に対する具体的な説明が、本発明の要旨を不明にする可能性がある場合には、その詳細は説明を省略する。
【００１１】
図２は、本発明の実施の形態によるＤＭＢ受信装置２００のブロック構成図である。
図２を参照すれば、本発明の実施の形態によるＤＭＢ受信装置２００は、ＰＩＤ(Ｐａｃｋｅｔ ＩＤ)に対応するＣＤＭチャンネルを選択するＣＤＭ選択部２１０と、ＣＤＭ選択部２１０からのＣＤＭ選択信号により、所定のＣＤＭチャンネルをデインタリーブするＣＤＭチャンネル処理部２２０と、デインタリーブした各ＣＤＭ転送チャンネルをバッファリングするバッファ部２３０と、バッファリングしたＣＤＭチャンネルからのデータをマージして、出力したい放送チャンネルストリームを生成するマージ部２４０と、入力される放送チャンネルストリームを分離するＴＳデマルチプレクサ２５０とを有する。また、ＤＭＢ受信装置２００は、デジタル信号を音声信号または映像信号に変換するコーデック２７０を有する。
さらに、ＤＭＢ受信装置２００は、ユーザーまたは所定の条件により、自動チャンネル切換えが要求されると、順次切換えが行われる放送チャンネルに対応するＰＩＤ値を出力するＰＩＤ変更部２６０を有する。
【００１２】
一般に、ＤＭＢ受信装置における復号可能なＣＤＭチャンネルの個数は、ＤＭＢシステムで提供される全てのＣＤＭチャンネルの個数より小さい。例えば、現在、衛星ＤＭＢシステムの場合は２９個のＣＤＭ転送チャンネルを介してデータを転送し、ＤＭＢ受信装置では、例えば、５つのＣＤＭ転送チャンネルを処理できるように構成される。これにより、ＤＭＢ受信装置は、基本的にパイロット情報を転送するチャンネルと、ＥＰＧ(Ｅｌｅｃｔｒｏｎｉｃ  Ｐｒｏｇｒａｍ  Ｇｕｉｄｅ)を転送するチャンネルと、ＣＡＳ(Ｃｏｎｄｉｔｉｏｎａｌ  Ａｃｃｅｓｓ  Ｓｙｓｔｅｍ)を転送するチャンネルとを受信する。そして、ＤＭＢ受信装置は、実際にＡＶストリームのための２つのＣＤＭ転送チャンネルを受信する。以後、衛星ＤＭＢ受信装置は、５つ以上のＣＤＭ転送チャンネルを処理できるように構成され、このような衛星ＤＭＢ受信装置に本発明が適用可能であることは明らかである。
【００１３】
図２を参照すれば、ユーザーまたは所定の条件により、自動チャンネル切換えが要求されると、ＰＩＤ変更部２６０は、順次または所定の順序に応じて、切換えが行われる放送チャンネルに対応するＰＩＤ値をＴＳデマルチプレクサ２５０に提供する。また、ＰＩＤ変更部２６０は、ＣＤＭ選択部２１０に順次または所定の順序に応じて、切換えが行われる放送チャンネルに対応するＰＩＤ値を提供する。ＰＩＤ変更部２６０は、ユーザーから所定の放送チャンネルを選択できるユーザーインターフェースに連結することができる。また、ＰＩＤ変更部２６０は、順次または所定の順序に応じて、自動チャンネル切換えが行われる放送チャンネル及びそれに対応するＰＩＤｓを格納する所定のメモリ(図示せず)に連結することができる。このとき、ＰＩＤ変更部２６０は、バッファ部２３０のバッファリング時間に合せてＰＩＤ値を一定時間の間隔で出力する。
【００１４】
ＣＤＭ選択部２１０は、ＰＩＤ変更部２６０から以後に出力する放送チャンネルに対応するＰＩＤが提供され、当該ＣＤＭチャンネルを受信するようにＣＤＭチャンネル処理部２２０に指示する。ＣＤＭチャンネル処理部２２０は、ＤＭＢシステムで放送されるＣＤＭ転送チャンネルのうち、ＰＩＤに該当するＣＤＭ転送チャンネルを得た後、デインタリーブする。そして、ＣＤＭチャンネル処理部２２０は、デインタリーブした各送信チャンネルデータをバッファ部２３０に出力する。バッファ部２３０は、複数個のバッファ２３１〜２３９を有し、ＣＤＭチャンネル処理部２２０から出力される送信チャンネルデータを各々格納する。そして、複数個のバッファ２３１〜２３９は、バッファリングした各送信チャンネルデータをマージ部２４０に提供する。マージ部２４０は、各送信チャンネルデータからユーザーに出力したい放送チャンネルストリームを生成し、ＴＳデマルチプレクサ２５０に出力する。ＴＳデマルチプレクサ２５０は、放送チャンネルストリームを各放送チャンネル別に分離してコーデック２７０に提供する。コーデック２７０は、ＴＳデマルチプレクサ２５０から提供される各放送チャンネルデータであるデジタル信号を音声信号または映像信号に変換する。なお、ＤＭＢ受信装置２００において、自動チャンネル切換え時のＡＶ放送チャンネルの出力状態を、図３を参照して説明する。
【００１５】
図３は、本発明の実施の形態によるＤＭＢ受信装置２００において、チャンネル切換え時のＡＶ放送チャンネルの出力状態を示す図である。
図３を参照すれば、本発明に係るＤＭＢ受信装置２００は、自動チャンネル切換え時、既定の順序に応じて、区間７０の以前の区間において、例えば、ストリームＡ及びストリームＢをバッファリングする。そして、ＤＭＢ受信装置２００は、区間７０において、自動チャンネル切換えの順序に応じて、ユーザーにストリームＡを出力する。一定時間経過後、ＤＭＢ受信装置２００は、区間７１において、バッファリングしたストリームＢをユーザーに出力する。このとき、ＤＭＢ受信装置２００は、次の放送チャンネルに対するＣＤＭチャンネルを受信し、次の放送チャンネルに対応するストリームＣをバッファリングする。同様に、ＤＭＢ受信装置２００は、区間７２において、バッファリングしたストリームＣをユーザーに出力しながら、次の放送チャンネルに対するＣＤＭチャンネルを受信することで、次の放送チャンネルに対応するストリームＤをバッファリングする。前述した実施例において、ＡＶ放送チャンネルの種類に応じて、ストリームＡ、Ｂ、Ｃ、Ｄの各々は、ビデオチャンネルの場合はＣＤＭチャンネルの２つを介して、オーディオチャンネルの場合はＣＤＭチャンネルの１つを介して出力されるものである。
本発明に係るＤＭＢ受信装置２００は、ＣＤＭチャンネルに対する情報を知っている。これにより、ＤＭＢ受信装置２００は、自動チャンネル切換え時、既定の順序に応じて、放送チャンネルに対するＣＤＭチャンネルを受信することで、ユーザーが感じるチャンネル切換えの待機時間を最小化する。
【００１６】
以下、図４を参照して、このようなＤＭＢ受信装置２００における動作制御の流れを説明する。
図４は、本発明の実施の形態によるＤＭＢ受信装置２００における動作制御の流れを示す図である。
図４を参照すれば、ＤＭＢ受信装置２００は、まず、段階３１０において、ユーザーまたは所定の条件により、自動チャンネル切換えが要求されたかを判断する。ここで、所定の条件は、例えば、ユーザーが予め自動チャンネル切換え時間を設定して当該時間に到達した場合である。自動チャンネル切換えが要求されると、ＤＭＢ受信装置２００は、段階３２０において、順次切換えが行われる既定の放送チャンネルに対応するＰＩＤ値を確認し、それに従うＣＤＭチャンネルを受信することで、初期放送ストリームをバッファリングする。続いて、ＤＭＢ受信装置２００は、段階３３０において、一定時間の間にバッファリングした放送ストリームを出力する。同時に、ＤＭＢ受信装置２００は、段階３４０において、現在出力される放送ストリームに連続出力する既定の放送チャンネルに対応するＰＩＤ値を得ることで、当該放送ストリームをバッファリングする。
【００１７】
続いて、ＤＭＢ受信装置２００は、段階３５０において、ユーザーにより現在出力中である放送ストリームが選択されたかを判断する。もし、ユーザーにより現在出力中である放送ストリームが選択されると、ＤＭＢ受信装置２００は、段階３７０に進行して自動チャンネル切換えを中止する。
そして、ユーザーにより現在出力中である放送ストリームが選択されないと、ＤＭＢ受信装置２００は、段階３６０に進行して一定時間の間にバッファリングした後に放送を出力する。そして、ＤＭＢ受信装置２００は、段階３８０において、ユーザーにより自動チャンネル切換え機能が終了されたかを判断する。
もしも、ユーザーにより自動チャンネル切換え機能が終了されないと、ＤＭＢ受信装置２００は、段階３４０に戻って次に出力する放送チャンネルに対するＰＩＤ値を得て、それに従うＣＤＭチャンネルを受信することで、当該放送ストリームをバッファリングする。
【００１８】
前述した本発明では、具体的な実施の形態について説明したが、本発明の要旨から逸脱しない範囲内で多様な変形・実施が可能である。よって、本発明の範囲は前述した実施の形態に限るものではなく、特許請求の範囲だけでなくそれと均等なものにより定めなければならない。
【図面の簡単な説明】
【００１９】
【図１】現在のＤＭＢシステムにおいて放送サービスを提供するチャンネルの構成図である。
【図２】本発明の実施の形態によるＤＭＢ受信装置２００のブロック構成図である。
【図３】本発明の実施の形態によるＤＭＢ受信装置２００におけるチャンネル切換え時のＡＶ放送チャンネルの出力状態を示す図である。
【図４】本発明の実施の形態によるＤＭＢ受信装置２００における動作制御の流れを示す図である。
【図１】
2006067599.tif 000003
【図２】
2006067599.tif 000004
【図３】
2006067599.tif 000005
【図４】
2006067599.tif 000006